(57)【要約】【課題】電子番組表の時間軸方向のカーソル移動の操作性を改善した電子番組表操作装置を提供する。【解決手段】時間軸方向のカーソル移動に割り当てられた方向キーが継続して押されている時間を計測するタイマ１１０ａを備え、カーソル制御手段１１０ｂは、時間軸方向のカーソル移動に割り当てられた方向キーが継続して押されている時間が予め決められた時間を越えた場合、時間軸方向に割り当てられた方向キーの押下が解除されるまで、カーソルの時間軸方向の幅および移動単位を時間軸における一定時間に対応する幅に変更する。【選択図】図１
2011029842.tif 000002
【特許請求の範囲】
【請求項１】
放送予定の番組の情報を表示する番組セルをチャンネル軸及び時間軸に沿って配置した電子番組表を作成する電子番組表作成手段と、
方向キーの押下を検知する方向キー押下検知手段と、
前記電子番組表において特定の番組セルを示すカーソルを表示し、前記チャンネル軸方向のカーソル移動に割り当てられた方向キーの押下の検知に応じて前記カーソルを前記チャンネル軸方向に隣接する番組セルに順次移動し、前記時間軸方向のカーソル移動に割り当てられた方向キーの押下の検知に応じて前記カーソルを前記時間軸方向に隣接する番組セルに順次移動するカーソル制御手段と、
前記時間軸方向のカーソル移動に割り当てられた方向キーが継続して押されている時間を計測するタイマとを備え、
前記カーソル制御手段は、前記時間軸方向のカーソル移動に割り当てられた方向キーが継続して押されている時間が予め決められた時間を越えた場合、前記時間軸方向に割り当てられた方向キーの押下が解除されるまで、前記カーソルの前記時間軸方向の幅および移動単位を前記時間軸における一定時間に対応する幅に変更することを特徴とする電子番組表操作装置。
【請求項２】
前記カーソル制御手段は、前記時間軸方向のカーソル移動に割り当てられた方向キーが継続して押されている時間が前記予め決められた時間より長い他の予め決められた時間を越えるたび、前記カーソルの前記時間軸方向の幅および移動単位を前記時間軸における前記一定時間より段階的に長い他の一定時間に対応する幅に変更することを特徴とする請求項１に記載の電子番組表操作装置。
【請求項３】
前記カーソル制御手段は、前記時間軸方向のカーソル移動に割り当てられた方向キーが継続して押されている時間が予め決められた時間を越えた場合、前記時間軸方向のカーソル移動に割り当てられた方向キーの押下が解除されるまで、前記カーソルを前記時間軸上に移動することを特徴とする請求項１または２に記載の電子番組表操作装置。
【請求項４】
前記カーソル制御手段は、前記時間軸方向のカーソル移動に割り当てられた方向キーが継続して押されている時間が予め決められた時間を越えた場合、前記時間軸方向のカーソル移動に割り当てられた方向キーの押下が解除されるまで、前記カーソルの外観を変更することを特徴とする請求項１または２に記載の電子番組表操作装置。
【請求項５】
前記カーソル制御手段は、前記時間軸方向のカーソル移動に割り当てられた方向キーが継続して押されている時間が予め決められた時間を越えた後に前記時間軸方向のカーソル移動に割り当てられた方向キーの押下が解除されると、直前にカーソルが占める時間帯に含まれる番組セルのうち最も早く放送される番組の番組セルに前記カーソルを移動することを特徴とする請求項１乃至４のいずれか１項に記載の電子番組表操作装置。
【請求項６】
放送予定の番組の情報を表示する番組セルをチャンネル軸及び時間軸に沿って配置した電子番組表においてカーソルを制御する方法であって、
前記時間軸方向のカーソル移動に割り当てられた方向キーが継続して押されている時間を計測する計測ステップと、
前記時間軸方向のカーソル移動に割り当てられた方向キーが継続して押されている時間が予め決められた時間を越えたかどうかを判定する判定ステップと、
前記時間軸方向のカーソル移動に割り当てられた方向キーが継続して押されている時間が予め決められた時間を越えた場合、前記カーソルの前記時間軸方向の幅および移動単位を前記時間軸における一定時間に対応する幅に変更するカーソル変更ステップと、
前記カーソル変更ステップ後に前記時間軸方向のカーソル移動に割り当てられた方向キーの押下が解除された場合、前記カーソルの前記時間軸方向の幅および移動単位を前記番組セル単位に戻す復帰ステップとを含むことを特徴とする方法。
【請求項７】
前記判定ステップにおいて、前記時間軸方向のカーソル移動に割り当てられた方向キーが継続して押されている時間がさらに他の予め決められた時間を越えたかどうかを判定し、
前記時間軸方向のカーソル移動に割り当てられた方向キーが継続して押されている時間が前記他の予め決められた時間を越えた場合、前記カーソル変更ステップにおいて、前記カーソルの前記時間軸方向の幅および移動単位を前記時間軸における他の一定時間に対応する幅に変更することを特徴とする請求項６に記載の方法。
【請求項８】
請求項６または７に記載の方法をコンピュータに実現させるためのプログラム。
【請求項９】
請求項８に記載のプログラムを格納したコンピュータ読み取り可能な記録媒体。
【発明の詳細な説明】
【技術分野】
【０００１】
本発明は、電子番組表操作装置に関する。
【背景技術】
【０００２】
従来、各チャンネルの放送番組情報を提供するサービスが提供されている。テレビジョン受像機やテレビジョン番組を録画するレコーダなどは、この情報を受信し、この情報に基づいて電子番組表を作成、表示している。電子番組表は、一般に、横軸がチャンネル軸、縦軸が時間軸になっており、放送予定の番組の番組名などの情報が表示される番組セルが、チャンネル軸方向は各チャンネルに割り当てられた幅において、時間軸方向は番組の放送時間に対応する幅において配置されている。電子番組表には特定の番組セルを示すカーソルが表示され、ユーザはリモコン装置または本体に設けられた十字キー等のカーソル操作キーの操作によりカーソルを移動させて所望の番組の番組セルを選択し、録画予約や視聴予約などの操作を行う。このような電子番組表に関して、ユーザ操作を簡単にする種々の提案がなされている。
【０００３】
特許文献１には、番組表上に日付セルを描画操作できるようにして簡単な操作で番組表の日付を切り替えることのできる電子番組ガイド表示装置が開示されている。
【０００４】
特許文献２には、表形式の番組表の他、縦軸または横軸に、時刻を表す時刻欄または番組の放送チャンネルを表すチャンネル欄が、それぞれさらに表示される表示制御装置および表示方法が開示されている。
【先行技術文献】
【特許文献】
【０００５】
【特許文献１】特開２００１−３０９２６６号公報
【特許文献２】特開平０８−２５１４９６号公報
【発明の概要】
【発明が解決しようとする課題】
【０００６】
従来の電子番組表では、時間軸方向のカーソルの移動単位は番組セルであるため、ユーザが選択したい時間が長時間先である場合、カーソルで移動するのは操作性がよくないという問題があった。特に、短時間の番組の番組セルが多く含まれていると長時間先までカーソルを移動するのは困難であった。また、通常のカーソル操作キー以外の機能を用いて移動したい時間までジャンプする技術も提案されているが、通常のカーソル操作キー以外の操作をする必要があり、操作の連続性がよくないという問題があった。
【０００７】
本発明は、上述したことに鑑みてなされたものであり、電子番組表の時間軸方向のカーソル移動の操作性を改善した電子番組表操作装置を提供する。
【課題を解決するための手段】
【０００８】
本発明の電子番組表操作装置は、時間軸方向のカーソル移動に割り当てられた方向キーが継続して押されている時間を計測し、その時間が予め決められた時間を越えた場合、方向キーの押下が解除されるまで、カーソルの時間軸方向の幅および移動単位を時間軸における一定時間（例えば１時間）に対応する幅に変更する。このようにすることで、短時間の番組の番組セルが多く含まれていても、長時間先までカーソルを移動することが容易になり、操作性を改善することができる。
【０００９】
本発明の電子番組表操作装置は、放送予定の番組の情報を表示する番組セルをチャンネル軸及び時間軸に沿って配置した電子番組表を作成する電子番組表作成手段と、方向キーの押下を検知する方向キー押下検知手段と、前記電子番組表において特定の番組セルを示すカーソルを表示し、前記チャンネル軸方向のカーソル移動に割り当てられた方向キーの押下の検知に応じて前記カーソルを前記チャンネル軸方向に隣接する番組セルに順次移動し、前記時間軸方向のカーソル移動に割り当てられた方向キーの押下の検知に応じて前記カーソルを前記時間軸方向に隣接する番組セルに順次移動するカーソル制御手段と、前記時間軸方向のカーソル移動に割り当てられた方向キーが継続して押されている時間を計測するタイマとを備え、前記カーソル制御手段は、前記時間軸方向のカーソル移動に割り当てられた方向キーが継続して押されている時間が予め決められた時間を越えた場合、前記時間軸方向に割り当てられた方向キーの押下が解除されるまで、前記カーソルの前記時間軸方向の幅を前記時間軸における一定時間に対応する幅に変更し、前記カーソルの前記時間軸方向の移動単位を前記一定時間に変更することを特徴とする。
【００１０】
前記カーソル制御手段は、前記時間軸方向のカーソル移動に割り当てられた方向キーが継続して押されている時間が前記予め決められた時間より長い他の予め決められた時間を越えるたび、前記カーソルの前記時間軸方向の幅を前記時間軸における前記一定時間より段階的に長い他の一定時間に対応する幅に変更し、前記カーソルの前記時間軸方向の移動単位を前記他の一定時間に変更するようにしてもよい。
【００１１】
前記カーソル制御手段は、前記時間軸方向のカーソル移動に割り当てられた方向キーが継続して押されている時間が予め決められた時間を越えた場合、前記時間軸方向のカーソル移動に割り当てられた方向キーの押下が解除されるまで、前記カーソルを前記時間軸上に移動するようにしてもよい。
【００１２】
前記カーソル制御手段は、前記時間軸方向のカーソル移動に割り当てられた方向キーが継続して押されている時間が予め決められた時間を越えた場合、前記時間軸方向のカーソル移動に割り当てられた方向キーの押下が解除されるまで、前記カーソルの外観を変更するようにしてもよい。
【００１３】
前記カーソル制御手段は、前記時間軸方向のカーソル移動に割り当てられた方向キーが継続して押されている時間が予め決められた時間を越えた後に前記時間軸方向のカーソル移動に割り当てられた方向キーの押下が解除されると、直前にカーソルが占める時間帯に含まれる番組セルのうち最も早く放送される番組の番組セルに前記カーソルを移動するようにしてもよい。
【発明の効果】
【００１４】
本発明によれば、電子番組表の時間軸方向のカーソル移動の操作性が改善される。
【図面の簡単な説明】
【００１５】
【図１】本発明の実施の形態に係るデジタルテレビジョン放送受信装置の構成の一例を示すブロック図である。
【図２】通常の番組セル幅のカーソルを説明する図である。
【図３】一時間幅のカーソルを説明する図である。
【図４】枠で表した一時間幅のカーソルを説明する図である。
【図５】時間軸上に示した一時間幅のカーソルを説明する図である。
【図６】本発明の実施の形態に係るデジタルテレビジョン放送受信装置の時間軸方向のカーソル移動処理を説明するフローチャートである。
【発明を実施するための形態】
【００１６】
以下、本発明の電子番組表操作装置について、デジタルテレビジョン放送受信装置として実施した形態を例として図面を参照して詳細に説明する。
【００１７】
図１は、本発明の実施の形態に係るデジタルテレビジョン放送受信装置の構成の一例を示すブロック図である。
【００１８】
本デジタルテレビジョン放送受信装置は、チューナ部１０１と、デマルチプレクサ１０２と、番組情報デコード部１０３と、映像・音声デコード部１０４と、ＥＰＧ構成部１０５と、画面合成部１０６と、表示部１０７と、音声出力部１０８と、操作受付部１０９と、制御部１１０と、メモリ１１１とを備える。
【００１９】
チューナ部１０１は、衛星アンテナや地上波アンテナにより受信された、又は、ケーブル放送によって供給された複数の放送波から任意の放送波を選択し、デマルチプレクサ１０２に供給する。デマルチプレクサ１０２は、この選択された放送波に含まれる複数のチャンネルからデマルチプレクス処理によって任意のチャンネルのデジタル信号を選択し、映像・音声デコード部１０４に供給し、番組情報を番組情報デコード部１０３に供給する。映像・音声デコード部１０４は、選択されたチャンネルのディジタル信号をデコードすることによって映像・音声信号を得て、映像信号を画面合成部１０６に供給し、音声信号を音声出力部１０８に供給する。番組情報デコード部１０３は、番組情報をデコードし、ＥＰＧ構成部１０５に供給する。ＥＰＧ構成部１０５は、デコードされた番組情報を元にＥＰＧ画面を構成し、画面合成部１０６に供給する。画面合成部１０６は、番組の映像信号やＥＰＧ画面、予約画面等を合成し、表示部１０７に供給する。表示部１０７は液晶ディスプレイ等であり、番組の映像や各種制御画面等を表示する。音声出力部１０８は、増幅器やスピーカ等から成り、番組の音声や警告音等を出力する。メモリ１１１には、番組情報や予約情報が格納される。
【００２０】
これらの各部は、制御部１１０によって制御される。制御部１１０は、リモコン装置１１２または本体の操作ボタン（図示せず）からの制御信号を操作受付部１０９を経て受け、電子番組表におけるカーソル移動等のユーザ操作を受け付け、画面合成部１０６を制御して電子番組表の表示に反映させる。
【００２１】
電子番組表は、図２に示すように、放送予定の各番組に対応する番組セルが縦横に配置されているものである。番組セルには、番組名や番組の出演者などの情報が表示される。電子番組表は、横軸はチャンネル軸に、縦軸は時間軸になっている。各番組セルのチャンネル軸方向の幅は、各チャンネルに等しく割り当てられている幅であり、時間軸方向の幅は、番組の放送時間に対応する幅となっている。したがって、各番組セルのチャンネル軸方向の幅はすべて等しいが、時間軸方向の幅は放送時間に応じて異なっており、放送時間が長い番組の番組セルの時間軸方向の幅は広く、放送時間が短い番組の番組セルの時間軸方向の幅は狭くなっている。
【００２２】
番組セルの１つにはカーソルが位置する。カーソルは、例えば、カーソルが位置する番組セルが、カーソルが位置しない他の番組セルと異なる色で表示されることによって示され、または、枠で囲まれることによって示される。図２では、ハッチングによって示している。ユーザは、リモコン装置１１２または本体に設けられた方向キーによってカーソルを所定の番組セルに移動させることができる。
【００２３】
リモコン装置１１２または本体に設けられた方向キーが押下されることによって生じる方向キー押下信号を操作受付部１０９が検知すると、制御部１１０は、カーソルをこの方向キー押下信号に対応する方向キーの方向において１つ隣の番組セルに待機時間なしで移動させる。
【００２４】
本デジタルテレビジョン放送受信装置では、横方向キーが押下され続けた場合、すなわちチャンネル軸方向にカーソルを移動する場合と、縦方向キーが押下され続けた場合、すなわち時間軸方向にカーソルを移動する場合とで異なった処理を行う。
【００２５】
制御部１１０は、横方向キーが押下され続け、横方向キー押下信号が検知され続けると、予め決められた待機時間の経過後、カーソルをさらに１つ隣の番組セルに移動させる。さらに横方向キーが押下され続け、横方向キー押下信号が検知され続けると、キーリピート処理に入り、現在位置する番組セルの押下されている横方向キーの方向における幅に応じた待機時間の経過後、カーソルをさらに１つ隣の番組セルに移動させる。この処理を、横方向キーが押下され続け、横方向キー押下信号が検知され続けている間行う。キーリピート処理に入った後、所定の時間の経過後、カーソルの移動単位を２番組セル（２チャンネル）ごとにしたり、さらに所定の時間の経過後、カーソルの移動単位を４番組セル（４チャンネル）ごとにしたり、さらに所定の時間の経過後に、カーソルの移動単位を１ページ（１画面）ごとにしたりすることもできる。このようにすれば、特にチャンネル数が多い場合、所望のチャンネルの番組セルに素早く到達することができるようになる。
【００２６】
制御部１１０は、タイマ１１０ａとカーソル制御部１１０ｂとを備える。タイマ１１０ａは、縦方向キーが継続して押されている時間、すなわち、縦方向キー押下信号が検出され続けている時間を計測する。カーソル制御部１１０ｂは、縦方向キーが継続して押されている時間に応じて、カーソルの時間軸方向の幅とカーソルの移動幅とを制御する。
【００２７】
縦方向キーが押され始めて所定の時間（例えば２秒）以内は、キーリピート処理に入った後、カーソルを順次隣の番組セルに移動させる。すなわち、カーソルの移動単位は番組セル、すなわち、各番組の放送時間である。
【００２８】
縦方向キーが継続して押されている時間が前記所定の時間を越えると、カーソル制御部１１０ｂはカーソルの時間軸方向の幅を一時間単位に変更する。すなわち、カーソルは番組セルに係らず、あるチャンネルの一時間分の領域を占めるようになる。カーソル制御部１１０ｂは、さらに、カーソルの時間軸方向の移動単位を一時間単位に変更する。このようにすることで、放送時間の短い番組の番組セルが多く含まれている部分でもカーソルの移動速度が遅くなることがなくなり、長時間先までカーソルを移動するのが容易になる。
【００２９】
カーソル制御部１１０ｂは、縦方向キーが継続して押されている時間がさらに所定の時間（例えば１０秒）を越えると、カーソルの移動単位を６時間単位にしたり、さらに所定の時間の経過後、カーソルの移動単位を１２時間単位にしたりすることもできる。
【００３０】
また、時間軸方向の幅が番組セルの時間軸方向の幅である通常のカーソルをカーソルが位置しない他の番組セルと異なる色で表示することによって示し、時間軸方向の幅が時間単位のカーソルを、図４に示すように枠で囲むことによって示し、区別がつくようにしてもよい。
【００３１】
また、カーソルの時間軸方向の移動が時間単位になっている状態では、カーソルの位置を図５に示すように時間軸上に移動させてもよい。
【００３２】
カーソルの時間軸方向の移動が時間単位になっている状態から縦方向キーの押下が解除されると、カーソル制御部１１０ｂは、カーソルの時間軸方向の幅および移動単位を番組セル単位に戻す。この際にカーソルが戻る番組セルは、例えば、カーソルが位置していた時間に少なくとも放送時間の一部が含まれる番組のうち最も上の（最も早い時間に放送される）番組の番組セルであってもよく、カーソルが位置していた時間においてその開始時間が含まれる番組のうち最も上の（最も早い時間に放送される）番組の番組セルであってもよい。また、タイマ１１０ａは、計時をリセットし、次の縦方向キーの押下に備える。
【００３３】
図６は、本発明の実施の形態に係るデジタルテレビジョン放送受信装置の時間軸方向のカーソル移動処理を説明するフローチャートである。
【００３４】
ステップＳ１０１において、制御部１１０は、リモコン装置１１２または本体に設けられた縦方向キーが押下されたことを検知する。
【００３５】
ステップＳ１０２において、タイマ１１０ａは、縦方向キーが継続して押されている時間を計測する。
【００３６】
ステップＳ１０３において、制御部１１０は、縦方向キーの押下が解除されたかどうかを判定する。解除されていない場合はステップＳ１０４に進む。解除されている場合はステップＳ１１４に進み、タイマ１１０ａをリセットして動作を終了する。
【００３７】
ステップＳ１０４において、制御部１１０は、タイマ１１０ａの計測時間ｔが予め決められた時間ｔ１（例えば２秒）を越えたかどうかを判定する。ｔがｔ１を越えていない場合はステップＳ１０５に進み、ｔがｔ１を越えている場合はステップＳ１０６に進む。
【００３８】
ステップＳ１０５において、カーソル制御部１１０ｂは、カーソルを縦方向キーが押されている方向に番組セル単位で移動し、ステップＳ１０３に戻る。
【００３９】
ステップＳ１０６において、カーソル制御部１１０ｂは、カーソルの時間軸方向の幅を時間軸の１時間に相当する幅に変更する。
【００４０】
ステップＳ１０７において、制御部１１０は、縦方向キーの押下が解除されたかどうかを判定する。解除されていない場合はステップＳ１０８に進む。解除されている場合はステップＳ１１３に進み、カーソル制御部１１０ｂはカーソルの時間軸方向の幅を番組セル単位に戻し、ステップＳ１１４でタイマ１１０ａをリセットして動作を終了する。
【００４１】
ステップＳ１０８において、制御部１１０は、タイマ１１０ａの計測時間ｔが予め決められた時間ｔ２（例えば１０秒）を越えたかどうかを判定する。ｔがｔ２を越えていない場合はステップＳ１０９に進み、ｔがｔ２を越えている場合はステップＳ１１０に進む。
【００４２】
ステップＳ１０９において、カーソル制御部１１０ｂは、カーソルを縦方向キーが押されている方向に１時間単位で移動し、ステップＳ１０７に戻る。
【００４３】
ステップＳ１１０において、カーソル制御部１１０ｂは、カーソルの時間軸方向の幅を時間軸の６時間に相当する幅に変更する。
【００４４】
ステップＳ１１１において、制御部１１０は、縦方向キーの押下が解除されたかどうかを判定する。解除されていない場合はステップＳ１１２に進む。解除されている場合はステップＳ１１３に進み、カーソル制御部１１０ｂはカーソルの時間軸方向の幅を番組セル単位に戻し、ステップＳ１１４でタイマ１１０ａをリセットして動作を終了する。
【００４５】
ステップＳ１１２において、カーソル制御部１１０ｂは、カーソルを縦方向キーが押されている方向に６時間単位で移動し、ステップＳ１１１に戻る。
【００４６】
図６のフローチャートの例では、縦方向キーが押されている長さに応じてカーソルの時間軸方向の幅と移動単位を１時間及び６時間の２段階に切り替えたが、カーソルの時間軸方向の幅と移動単位となる時間単位と切り替える段階数はこれらに限定されない。
【００４７】
また、上記実施の形態では、縦軸を時間軸、横軸をチャンネル軸として説明したが、縦軸をチャンネル軸、横軸を時間軸としてもよい。
【００４８】
また、本発明の実施の形態としてデジタルテレビジョン放送受信装置として実施した例を説明したが、本発明の電子番組表操作装置は、テレビジョンやレコーダなど、電子番組表機能を持つ種々の装置として実施可能である。
【産業上の利用可能性】
【００４９】
本発明は、電子番組表操作装置に利用可能である。
【符号の説明】
【００５０】
１０１  チューナー部
１０２  デマルチプレクサ
１０３  番組情報デコード部
１０４  映像・音声デコード部
１０５  ＥＰＧ構成部
１０６  画面合成部
１０７  表示部
１０８  音声出力部
１０９  操作受付部
１１０  制御部
１１０ａ  タイマ
１１０ｂ  カーソル制御部
１１１  メモリ
１１２  リモコン装置
【図１】
2011029842.tif 000003
【図２】
2011029842.tif 000004
【図３】
2011029842.tif 000005
【図４】
2011029842.tif 000006
【図５】
2011029842.tif 000007
【図６】
2011029842.tif 000008